(57)【要約】【課題】不特定多数のユーザが一時的に利用し、かつ、ユーザが車両を駐車する位置が固定でない駐車場に適した駐車場モニタシステムを提供する。【解決手段】駐車場モニタシステムのユーザは、ハードウェアトークンとしてＩＣカード１を所持し、ユーザが駐車スペースに車両７を駐車したとき、このＩＣカード１には、駐車情報として、駐車番号と駐車時刻が書き込まれる。ユーザが車両７をモニタするとき、店舗端末５は、ＩＣカード１から読み出した駐車情報の駐車番号に対応する監視カメラ３の映像の配信を映像データベースサーバ６に要求し、ユーザが映像の撮影時刻を指定しないときは、監視カメラ３のライブ映像が表示され、ユーザが映像の撮影時刻を指定したときは、指定した撮影時刻からの録画映像が表示される。【選択図】図１
2008097072.tif 000002
【特許請求の範囲】
【請求項１】
駐車場の駐車スペースに駐車している車両をモニタする駐車場モニタシステムであって、駐車場に車両を駐車するユーザが所持する前記ハードウェアトークンと、この前記ハードウェアトークンに、駐車情報として、車両が入庫したときに、車両が入庫した駐車スペースを特定するための情報である駐車番号を書き込み、車両が出庫したときに、前記ハードウェアトークンに記憶した駐車情報を消去する駐車場端末と、駐車スペースの映像を撮影する監視カメラと、前記監視カメラとネットワークを介して接続し、指定された前記監視カメラの映像を動画として配信する映像配信部を備えたサーバと、ユーザが所持する前記ハードウェアトークンから駐車番号を読出し、駐車番号に対応する駐車スペースを撮像している前記監視カメラの映像の配信を前記サーバに要求し、前記サーバから配信された映像を表示するサービス端末とから、少なくとも構成されることを特徴とする駐車場モニタシステム。
【請求項２】
請求項１に記載の駐車場モニタシステムにおいて、前記サーバは、前記監視カメラから送信された映像とその撮影時刻を記憶するデータベースを備え、前記サーバの前記映像配信部は、映像の撮影時刻と駐車番号が指定されたとき、前記データベースに記憶され、駐車番号に対応する駐車スペースを撮像している前記監視カメラの映像の中で、指定された撮影時刻からの映像を動画として配信する手段を備え、前記サービス端末は、撮影時刻を入力する入力部を備え、撮影時刻が入力されたときは、駐車番号に対応する駐車スペースを撮像している前記監視カメラの撮影時刻からの映像の配信を要求することを特徴とする駐車場モニタシステム。
【請求項３】
請求項２に記載の駐車場モニタシステムにおいて、前記駐車場端末は、駐車情報として、駐車番号に加えて、車両を駐車した時刻である駐車時刻を書き込み、前記サービス端末は、前記ハードウェアトークンから読み出した駐車時刻より前の撮影時刻の入力を禁止することを特徴とする駐車場モニタシステム。
【請求項４】
請求項１から請求項３のいずれかに記載の駐車場モニタシステムであって、前記駐車場端末は、車両を出庫するまでは、前記ハードウェアトークンに駐車情報の書き込みを禁止することを特徴とする駐車場モニタシステム。
【請求項５】
請求項４に記載の駐車場モニタシステムであって、前記ハードウェアトークンには、ユーザが識別するための情報であるユーザＩＤが記憶され、前記駐車場端末は、車両が入庫したときに、前記ハードウェアトークンからユーザＩＤを読取り、読取った前記ユーザＩＤを車両が出庫するまで保持し、車両を出庫するときは、前記ハードウェアトークンから読取ったユーザＩＤと保持しているユーザＩＤを比較し、ユーザＩＤが同じである場合のみ、車両の出庫を許可することを特徴とする駐車場モニタシステム。
【発明の詳細な説明】
【技術分野】
【０００１】
本発明は、駐車場に駐車した自己の車両をモニタするシステム及び方法に関する。
【背景技術】
【０００２】
郊外のショッピングモール等の大規模な駐車場では、車上荒らしなどの犯罪行為が近年問題となっており、車を長時間離れるときは、車の持ち主は自己の車両の様子が分からず大変不安である。
【０００３】
駐車場に駐車した車両を離れた場所から監視できるシステムとしては、特許文献１で、自己の保有する携帯電話で制御端末を呼出すことで、駐車場に配置された監視カメラが撮像している自己の車両をモニタできる駐車場モニタシステムが開示されている。
【特許文献１】特開２００１−２６６２９６号公報
【発明の開示】
【発明が解決しようとする課題】
【０００４】
しかしながら、特許文献１で開示されている発明では、駐車場に車両を駐車した位置情報は制御端末に登録されているため、月極め駐車場のようにユーザの駐車位置が固定である駐車場には適しているが、大型店舗の駐車場など、自己の車両を駐車する位置が固定でない駐車場の場合は、ユーザが駐車するごとに位置情報を制御端末に登録しなければならないため適していない。
【０００５】
そこで、本発明は、大型店舗の駐車場のように、不特定多数のユーザが一時的に利用し、かつ、ユーザが車両を駐車する位置が固定でない駐車場に適した駐車場モニタシステムを提供することを目的とする。
【課題を解決するための手段】
【０００６】
上述した課題を解決する第１の発明は、駐車場の駐車スペースに駐車している車両をモニタする駐車場モニタシステムであって、駐車場に車両を駐車するユーザが所持する前記ハードウェアトークンと、この前記ハードウェアトークンに、駐車情報として、車両が入庫したときに、車両が入庫した駐車スペースを特定するための情報である駐車番号を書き込み、車両が出庫したときに、前記ハードウェアトークンに記憶した駐車情報を消去する駐車場端末と、駐車スペースの映像を撮影する監視カメラと、前記監視カメラとネットワークを介して接続し、指定された前記監視カメラの映像を動画として配信する映像配信部を備えたサーバと、ユーザが所持する前記ハードウェアトークンから駐車番号を読出し、駐車番号に対応する駐車スペースを撮像している前記監視カメラの映像の配信を前記サーバに要求し、前記サーバから配信された映像を表示するサービス端末とから、少なくとも構成されることを特徴とする。
【０００７】
なお、本発明において、ハードウェアトークンとは、内部にデータを記憶でき、外部の装置とデータ通信する機能を備え、携帯可能な装置を意味し、詳しくは、ＩＣカード、ＳＩＭ（Subscriber Identity Module）及びＵＳＢトークンなどの装置を意味する。
【０００８】
更に、第２の発明は、第１の発明に記載の駐車場モニタシステムにおいて、前記サーバは、前記監視カメラから送信された映像とその撮影時刻を記憶するデータベースを備え、前記サーバの前記映像配信部は、映像の撮影時刻と駐車番号が指定されたとき、前記データベースに記憶され、駐車番号に対応する駐車スペースを撮像している前記監視カメラの映像の中で、指定された撮影時刻からの映像を動画として配信する手段を備え、前記サービス端末は、撮影時刻を入力する入力部を備え、撮影時刻が入力されたときは、駐車番号に対応する駐車スペースを撮像している前記監視カメラの撮影時刻からの映像の配信を要求することを特徴とする。
【０００９】
更に、第３の発明は、第２の発明に記載の駐車場モニタシステムにおいて、前記駐車場端末は、駐車情報として、駐車番号に加えて、車両を駐車した時刻である駐車時刻を書き込み、前記サービス端末は、前記ハードウェアトークンから読み出した駐車時刻より前の撮影時刻の入力を禁止することを特徴とする。
【００１０】
更に、第４の発明は、第１の発明から第３の発明のいずれかに記載の駐車場モニタシステムであって、前記駐車場端末は、車両を出庫するまでは、前記ハードウェアトークンに駐車情報の書き込みを禁止することを特徴とする。
【００１１】
さらに、第５の発明は、第４の発明に記載の駐車場モニタシステムであって、前記ハードウェアトークンには、ユーザが識別するための情報であるユーザＩＤが記憶され、前記駐車場端末は、車両が入庫したときに、前記ハードウェアトークンからユーザＩＤを読取り、読取った前記ユーザＩＤを車両が出庫するまで保持し、車両を出庫するときは、前記ハードウェアトークンから読取ったユーザＩＤと保持しているユーザＩＤを比較し、ユーザＩＤが同じである場合のみ、車両の出庫を許可することを特徴とする。
【発明の効果】
【００１２】
上述した発明によれば、ユーザが自己の車両を駐車場に駐車した位置を示す駐車番号等の駐車情報は、ユーザが所持するハードウェアトークンに記憶され、ハードウェアトークンから読み出した駐車情報に基づいて監視カメラの映像がサービス端末に配信されるため、システム側で駐車番号を把握する必要はなくなり、ユーザが車両を駐車する位置が固定でない駐車場、例えば、店舗の駐車場やコインパーキングの駐車場に適した駐車場モニタシステムを提供できる。
【００１３】
更に、サーバが監視カメラの映像を記憶するデータベースを備えることで、ライブ映像のみならず録画した映像をもユーザは閲覧することができる。
【００１４】
更に、車両が出庫した後に、ハードウェアトークンに記憶した駐車情報を消去したり、ハードウェアトークンに駐車時刻を記憶し、駐車時刻より前の映像の配信を防止することで、第３者が駐車スペースの映像を閲覧することを防止することができる。
【００１５】
更に、車両を出庫するまでは、ハードウェアトークンに駐車情報の書き込みを禁止することで、第３者が駐車情報を不正利用することを防止できる。
さらに、駐車場端末がユーザ識別番号を記憶保持し、ユーザ識別番号を利用して出庫を許可することで、駐車情報の不正利用の防止効果を高めることができる。
【発明を実施するための最良の形態】
【００１６】
（実施の形態１）
ここから、本発明に係る駐車場モニタシステムを店舗の駐車場に適用した形態について、図を参照しながら詳細に説明する。図１は、本発明に係る駐車場モニタシステムを店舗の駐車場に適用した形態を説明する図である。
【００１７】
本発明に係る駐車場モニタシステムを店舗の駐車場に適用することで、駐車場モニタシステムのユーザは、大型店舗内に設置されたサービス端末である店舗端末５を利用し、駐車場に駐車した自己の車両７の映像をモニタすることが可能になる。
【００１８】
図１に示したように、駐車場の駐車スペースごとに単体精算方式の精算端末２が設置され、本発明に係る駐車場端末の機能はこの精算端末２に備えられている。
更に、駐車場の駐車スペースごとに、駐車スペースを常時撮影している監視カメラ３が設置されている。
【００１９】
大型店舗には、駐車場に駐車した車両７の映像をモニタするときに利用される店舗端末５と、監視カメラ３が撮像している映像を記憶・保持する映像データベースサーバ６が設置されている。
【００２０】
駐車場モニタシステムのユーザは、ハードウェアトークンとしてＩＣカード１を所持し、ユーザが駐車スペースに車両７を駐車したとき、このＩＣカード１には、駐車情報として、少なくとも、駐車スペースの番号（以下、駐車番号）と駐車時刻（例えば、精算端末２にＩＣカード１を装着した時刻）が書き込まれる。
【００２１】
ＩＣカード１に記憶された駐車情報は、ユーザが駐車場に駐車した自己の車両７をモニタするときに、店舗端末５によって読取られ利用され、駐車料金を精算したときに、精算端末２によってＩＣカード１から消去される。
【００２２】
店舗端末５は、ＩＣカード１から読み出した駐車情報の駐車番号に対応する監視カメラ３の映像の配信を映像データベースサーバ６に要求する。
ユーザが映像の撮影時刻を指定しないときは、ディスプレイには監視カメラ３のライブ映像が表示され、ユーザが映像の撮影時刻を指定したときは、指定した撮影時刻からの録画映像がディスプレイに表示される。
【００２３】
なお、図１では、本発明を分かり易く説明するために、精算端末２、監視カメラ３及び店舗端末５の台数を１台としている。
当然のことながら、精算端末２及び監視カメラ３は駐車スペースごとに設置され、更に、映像データベースサーバ６には複数台の店舗端末５が設置されていてもよい。
【００２４】
図２は、駐車場モニタシステムのブロック図である。駐車場モニタシステムのユーザが所持するＩＣカード１は、電気的に書換え可能な不揮発性メモリとしてＥＥＰＲＯＭを備え、更に、駐車番号や駐車時刻などの情報をＥＥＰＲＯＭに書き込むためのコマンドや、ＥＥＰＲＯＭに書き込まれた情報を読み出すためのコマンドを備えている。
【００２５】
精算端末２には、駐車料金を精算する精算手段２０に加え、ユーザが所持するＩＣカード１とデータ通信するためのリーダライタ２１を備えている。
【００２６】
本発明に係る駐車場端末としての機能は精算端末２の精算手段２０に備えられ、本発明に係る駐車場端末としての機能を実現するために、精算手段２０は、少なくとも、駐車時間を計測するために時計を内蔵し、更に、精算端末２が設置されている駐車スペースの駐車番号を記憶し、更に、これから述べる工程を実施するためのコンピュータプログラムを記憶している。
【００２７】
図３は、精算端末２によって実行され、ユーザが車両７を駐車スペースに入庫した駐車情報をＩＣカード１に書き込む工程を説明する図である。
【００２８】
この工程で実行される最初のステップＳ１は、ＩＣカード１を活性化するステップである。
このステップで精算端末２は、メカニカルな手段や電気的な手段によって、ＩＣカード１がリーダライタと電気的に結合したことを検知すると、例えば、ＩＳＯ／ＩＥＣ７８１６に記述された初期化手順を実行し、ＩＣカード１を活性化する。
【００２９】
次のステップＳ２は、駐車情報として、駐車番号と駐車時刻とをＩＣカード１に書き込むステップである。
このステップで精算端末２の精算手段２０は、ＩＣカード１に実装されたコマンドを利用して、駐車時刻（例えば、ＩＣカード１を検知したときの時刻）と、精算端末２に設定されている駐車番号とを、駐車情報としてＩＣカード１に書き込み、駐車情報を書き込んだ後、ＩＣカード１を非活性化する。
【００３０】
上述した２つのステップを精算端末２が実行することで、ユーザが所持するＩＣカード１には、自己の車両７を駐車した駐車情報として、駐車番号及び駐車時刻とが書き込まれる。
ＩＣカード１に記憶された駐車番号を読み出すことで、ユーザが車両７を駐車した位置を特定でき、更に、駐車時刻を読み出すことで、ユーザが車両７を駐車した駐車時刻を特定することができる。
【００３１】
ＩＣカード１にユーザを識別するためのユーザＩＤを記憶し、上述したステップＳ２でユーザＩＤをＩＣカード１から読取り保持し、ユーザＩＤの異なる別のＩＣカード１が装着されても出庫処理を実施できないようにしておけば、精算端末２は、ユーザの車両７が駐車スペースに入庫されてから出庫するまでの間は、このステップＳ２を実行せず、他のＩＣカード１が装着されても駐車情報をＩＣカード１に書き込まないようにすることができる。
【００３２】
なお、ＩＣカード１に記憶された駐車情報は、ユーザが車両７の出庫処理をするときに消去される。駐車情報の消去忘れを防止するために、精算端末２が車両７の出庫を許可する条件の一つとして、この条件にＩＣカード１が装着されることを加えておくとよい。
【００３３】
更に、ＩＣカード１には、駐車料金を精算するためのアプリケーションを実装し、精算端末２はＩＣカード１を利用して駐車料金を精算する機能を備えておくと、駐車情報の消去と共に駐車料金が精算できるため便利である。
【００３４】
図２の説明に戻る。精算端末２が設置された駐車スペースの映像を撮影するために、駐車スペースごとに監視カメラ３が設置される。
本発明において、監視カメラ３はネットワークカメラ（ＩＰカメラ）で、ＬＡＮ４を介して、撮影した映像を映像データベースサーバ６に送信することが可能である。
当然のことながら、ネットワークカメラとしての機能は、ＣＣＤカメラとブロードバンドルータとを組み合せることでも実現できる。
【００３５】
監視カメラ３は、監視カメラ３が撮像している駐車スペースの駐車番号を記憶し、更に、映像を撮像した時刻を計測するための時計を内蔵している。
監視カメラ３は、撮影対象となる駐車スペースを一定時間間隔（例えば、１／１０秒）で撮影し、映像を撮影するごとに、ＬＡＮ４を介して、映像の撮像時刻、撮影した映像及び駐車番号を映像データベースサーバ６に送信する。
【００３６】
なお、回転、ズームなどの機構を備えた監視カメラ３によって、1台の監視カメラ３で複数の駐車スペースを順次撮影するようにしてもよい。
【００３７】
監視カメラ３から映像が送信される映像データベースサーバ６には、監視カメラ３から送信された映像を動画形式で録画する映像データベース６１と、サービス端末５に監視カメラ３の映像を配信する映像配信部として、映像データベース６１を管理するデータベース管理手段６０が備えられている。
【００３８】
データベース管理手段６０は、外部の装置（ここでは、監視カメラ３及び店舗端末５）から映像データベース６１にアクセスするための窓口になる手段で、監視カメラ３及び店舗端末５に対し映像データベース６１にアクセスするためのＡＰＩ(Application Program Interface)を公開している。
【００３９】
監視カメラ３は、映像を映像データベース６１に登録するためのＡＰＩを呼出すことで、撮像した映像を映像データベース６１に登録でき、店舗端末５は、映像データベース６１に記憶された映像を配信要求するめのＡＰＩを呼出すことで、指定した条件に適合した映像を動画として受信できる。
【００４０】
データベース管理手段６０は、監視カメラ３からＡＰＩが呼出され、監視カメラ３から映像と撮影時刻とを受信すると、受信した駐車番号に関連付けて、映像を動画形式（例えば、ＭＰＥＧ）で映像データベース６１に記憶し、撮影時刻を記憶した映像のメタデータとして記憶する。
【００４１】
更に、データベース管理手段６０は、店舗端末５からＡＰＩが呼出され、映像の配信要求を受けると、店舗端末５から指定された条件に適合する映像を映像データベース６１の中から検索し、検索した映像を動画として店舗端末５にストリーミング配信する。
【００４２】
店舗端末５が映像を指定する条件には、駐車スペースの駐車番号が必須で、この条件にはオプションで、映像の撮影時刻を含ませることができる。
【００４３】
店舗端末５から撮影時刻の指定がないときは、データベース管理手段６０は、駐車番号で特定される監視カメラ３から送信される映像を動画としてストリーミング配信し、この映像は監視カメラ３が撮影している映像のライブ映像になる。
【００４４】
更に、店舗端末５から撮影時刻が指定されたときは、指定された駐車番号の映像のメタデータを検索し、映像データベース６１に記憶され、指定された撮影時刻からの映像を動画としてストリーミング配信し、このときの映像は監視カメラ３が撮影した映像の録画映像になる。
【００４５】
店舗端末５には、ユーザが所持するＩＣカード１とデータ通信するためのリーダライタ５１と、ユーザが撮影時刻を入力するための操作手段５２と、映像データベースサーバ６から配信された映像を表示する表示手段５３と、店舗端末５を制御する制御手段５０と、を備える。
【００４６】
店舗端末５の表示手段５３とは、映像データベースサーバ６からされた映像を表示する手段で、消費電力に優れた液晶ディスプレイが好適である。更に、操作手段５２とは撮影時刻を入力するために利用される手段で、キーボードやタッチパネルに代表さるような、店舗端末５にデータを入力する手段である。
【００４７】
店舗端末５の制御手段５０は、店舗端末５の動作を制御する手段で、制御手段５０は、ＣＰＵやメモリなどが実装されたコンピュータボードで実現され、このコンピュータボードには、これから述べる工程を店舗端末５に実行させるためのコンピュータプログラムが組み込まれている。
【００４８】
図４は、店舗端末５に映像を表示させる工程を説明する図である。
この工程の最初のステップＳ１０は、ＩＣカード１を活性化するステップで、このステップでは、店舗端末５の制御手段５０は、メカニカルな手段や電気的な手段によって、ＩＣカード１がリーダライタと電気的に結合したことを検知すると、例えば、ＩＳＯ／ＩＥＣ７８１６に記述された初期化手順を実行し、ＩＣカード１を活性化する。
【００４９】
次のステップＳ１１は、ＩＣカード１から駐車情報を読取るステップである。
このステップで、店舗端末５の制御手段５０は、ＩＣカード１に実装されたコマンドを利用して、ＩＣカード１から駐車情報（ここでは、駐車時刻と駐車番号）を読出し、読み出した駐車情報をメモリに一時的に保持する。
【００５０】
次のステップＳ１２は、映像データベースサーバ６に対してライブ映像の配信を要求するステップである。
【００５１】
このステップで、店舗端末５の制御手段５０は、映像データベースサーバ６のデータベース管理手段６０にアクセスし、映像を配信するためのＡＰＩを呼出し、映像の配信を要求する。
なお、このとき配信を要求する映像を指定する条件は、ＩＣカード１から読み出した駐車番号のみで、映像の撮影時刻は含まれない。
【００５２】
次のステップＳ１３は、映像データベースサーバ６から配信された映像を表示するステップである。
このステップで、店舗端末５の制御手段５０は、映像データベースサーバ６から動画としてストリーミング配信される映像を店舗端末５の表示手段５３に表示する。
【００５３】
ステップＳ１２が実行された直後にこのステップＳ１３で表示される映像は、監視カメラ３のライブ映像となり、後述するＳ１６が実行された直後にこのステップＳ１３で表示される映像は、監視カメラの録画映像になる。
【００５４】
図５は、店舗端末５の表示手段５３に表示されるライブ映像の一例である。図５に示したように、店舗端末５の表示手段５３には、駐車番号で特定される監視カメラ３が撮影したライブ映像と、映像を撮影したときの時刻が表示される。
【００５５】
更に、図５には、入力手段５２として、ユーザが閲覧したい撮影時刻を表示する撮影時刻欄５２ａと、撮影時刻を指定するために利用される時刻操作キー５２ｂと、撮影時刻を決定するための決定キー５２ｃと、映像の閲覧を終了する終了キー５３ｄとが表示される。これらのキーが表示される箇所はタッチパネルとなっており、店舗端末５の制御手段５０は、どのキーが操作されたか判断可能である。
【００５６】
なお、ステップＳ１３で映像を表示しているとき、ユーザが入力手段５２（例えば、図５のキーのいずれか）が操作されると、処理が分岐される（ステップＳ１４）。
このステップＳ１４で、ユーザが映像の表示を終了する操作（図５の終了キー５２ｄが押されたとき）を実行したとき手順は終了し、撮像時刻を指定する操作（図５の時刻操作キー５２ｂが押されたとき）を実行したときは、ステップＳ１５に進む。
【００５７】
ユーザによって撮影時刻が指定されたときに実行されるステップＳ１５は、ユーザが指定した撮影時刻を取得するステップである。
【００５８】
例えば、図５においては、撮影時刻欄５２ａに表示される最初の時刻は、映像が表示開始されたときの時刻で、撮影時刻欄５２ａに表示される時刻は、下向きの三角形が操作されると戻り、上向きの三角形が操作されると進み、店舗端末５の制御手段５０は、決定キー５２ｃが操作されたときに撮影時刻欄に表示されている撮影時刻を取得する。
【００５９】
なお、撮影時刻を戻すときは、店舗端末５の制御手段５０は、ステップＳ１１でＩＣカード１から読み出した駐車時刻よりも前の時刻への設定を禁止するとよい。
【００６０】
ステップＳ１５の後に実行されるステップＳ１６は、映像データベースサーバ６に対して録画された映像の配信を要求するステップである。
このステップで、店舗端末５の制御手段５０は、映像データベースサーバ６のデータベース管理手段６０にアクセスし、映像を配信するためのＡＰＩを呼出し、映像の配信を要求する。
なお、このとき配信を要求する映像を指定する条件は、ＩＣカード１から読み出した駐車番号と、ステップＳ１５で指定した撮影時刻が含まれる。
【００６１】
ステップＳ１６が実行された後はステップＳ１３が実行され、映像データベースサーバ６から配信された録画映像が店舗端末５のディスプレイに表示される。
【００６２】
（実施の形態２）
ここから、本発明に係る駐車場モニタシステムをコインパーキングに適用した形態について説明する。
図６は、本発明に係る駐車場モニタシステムをコインパーキングに適用した形態を説明する図である。
【００６３】
コインパーキングの駐車場に本発明を適用する際は、ユーザが所持するハードウェアトークンを、通信インターフェースを備えたＳＩＭ１０１（Subscriber Identity Module）とし、ＳＩＭ１０１を装着可能な携帯電話１０５をサービス端末とすれば、ユーザは携帯電話１０５を利用して、コインパーキングに駐車した自己の車両１０７をモニタすることが可能になる。
【００６４】
図６において、図６のＳＩＭ１０１は図１のＩＣカード１の役割を果たし、図６の携帯電話１０５は図１の店舗端末５の役割を果たし、図６のＷｅｂサーバ１０６は図１の映像データサーバ６の役割を果たし、更に、図６においては、図１と同様に、コインパーキングの駐車スペースごとに、精算端末１０２と監視カメラ１０３が設置されている。
【００６５】
ＳＩＭ１０１にはデュアルインターフェースＩＣチップが実装され、ＳＩＭ１０１は、接触で通信するための接触端子と、非接触で通信するためのアンテナとを備えている。
ＳＩＭ１０１と精算端末１０２とが通信するとき、非接触通信が利用され、ＳＩＭ１０１と携帯電話１０５とが通信するとき、接触通信が利用される。
【００６６】
携帯電話１０５は、図１の店舗端末５に備えられた表示手段５３としてディスプレイと、図１の店舗端末５の入力手段５２として操作ボタンと、図１の店舗端末５のリーダライタ５１としてＳＩＭ１０１と接触で通信する手段と、店舗端末５の制御手段５０を実現するアプリケーションがインストールされている。
【００６７】
更に、Ｗｅｂサーバ１０６は、図１の映像データベース６と同様に、監視カメラ１０３の映像を記憶するデータベースと、映像を配信するための手段（例えば、DBMS: Data Base Management System）を有する。
【００６８】
図６では、精算端末１０２に備えられ、ハードウェアトークンであるＳＩＭ１０１と通信する手段は、非接触型のリーダライタとなり、実施の形態１と同様に、精算端末１０２はＳＩＭ１０５に駐車情報を書き込む。
【００６９】
コインパーキングに駐車した車両１０７をモニタするとき、携帯電話１０５はＳＩＭ１０１から駐車情報を読出し、携帯電話無線網を含むネットワーク１０４を介して、駐車情報で特定される監視カメラ１０３の映像の配信をＷｅｂサーバ１０６に要求し、Ｗｅｂサーバ１０６から配信された映像を携帯電話１０５のディスプレイに表示する。
【図面の簡単な説明】
【００７０】
【図１】駐車場モニタシステムを店舗の駐車場に適用した形態を説明する図。
【図２】駐車場モニタシステムのブロック図。
【図３】駐車情報をＩＣカードに書き込む工程を説明する図。
【図４】店舗端末に映像を表示させる工程を説明する図。
【図５】店舗端末の表示手段に表示されるライブ映像の一例。
【図６】駐車場モニタシステムをコインパーキングに適用した形態を説明する図。
【符号の説明】
【００７１】
１  ＩＣカード
２  精算端末、２０  精算手段、２１  リーダライタ
３  監視カメラ
４  ＬＡＮ
５  サービス端末、５０  制御手段、５１  リーダライタ、５２  入力手段、
５３  表示手段
６  映像データベースサーバ、６０  データベース管理手段、６１  映像データベース
７  車両
１０１  ＳＩＭ、１０２  精算端末、１０３  監視カメラ、１０４  ネットワーク、
１０５  携帯電話、１０６  Ｗｅｂサーバ、１０７  車両
【図１】
2008097072.tif 000003
【図２】
2008097072.tif 000004
【図３】
2008097072.tif 000005
【図４】
2008097072.tif 000006
【図５】
2008097072.tif 000007
【図６】
2008097072.tif 000008